(57)【要約】【課題】ころの端面とつば面との間の潤滑性が優れていて起動トルクが低いことに加えて、量産性が高く安価であるころ軸受を提供する。【解決手段】円すいころ軸受は、内輪１と、外輪２と、内輪１及び外輪２の間に転動自在に配された複数の円すいころ３と、内輪１及び外輪２の間に複数の円すいころ３を保持する保持器４と、で構成されており、内輪１の外周面及び外輪２の内周面の間に形成された軸受内部空間には、潤滑剤が封入されている。内輪１の外周面の軸方向両端部には、つば５，５が径方向外方に突出して設けられている。つば５と摺接する円すいころ３の大端面３ａには、油溜まりとなる多数の凹部が形成されている。該凹部は、ショットブラストにより形成した凹凸のうち凸部を研磨により平滑にして凹部のみ残すことにより形成されたものである。【選択図】図１
2010169182.tif 000002
【特許請求の範囲】
【請求項１】
内輪と、外輪と、前記内輪及び前記外輪の間に転動自在に配された複数のころと、前記内輪及び前記外輪の少なくとも一方に形成されたつばと、を備えるころ軸受において、
前記つばと摺接する前記ころの端面には、油溜まりとなる多数の凹部が形成されており、該凹部は、ショットブラストにより形成した凹凸のうち凸部を研磨により平滑にして凹部のみ残すことにより形成されたものであることを特徴とするころ軸受。
【請求項２】
前記ショットブラストに使用される投射材はセラミック製であり、目開き７５μｍの篩を通過する大きさの略球形であることを特徴とする請求項１に記載のころ軸受。
【請求項３】
前記端面の表面粗さが、Ｒａ０．１５μｍ以上０．４μｍ以下、且つ、Ｒｓｋ−５μｍ以上−１μｍ以下であることを特徴とする請求項１又は請求項２に記載のころ軸受。
【請求項４】
前記凹部の内面が略球面状で、前記凹部の直径が５μｍ以上５０μｍ以下、前記凹部の深さが０．５μｍ以上４μｍ以下であるとともに、前記端面全体のうち前記凹部の部分の面積の割合が１０％以上４０％以下であることを特徴とする請求項１〜３のいずれか一項に記載のころ軸受。
【請求項５】
円すいころ軸受であることを特徴とする請求項１〜４のいずれか一項に記載のころ軸受。
【発明の詳細な説明】
【技術分野】
【０００１】
本発明は、つばを備えるころ軸受に関する。
【背景技術】
【０００２】
円すいころ軸受のようなころ軸受においては、内輪や外輪に設けられたつばところの端面とが回転時に摺接するため、起動トルクが大きいという問題があった。なお、以降においては、つばのうち、ころの端面と摺接する面を「つば面」と記す。前記のような問題があることから、ころの端面やつば面に油溜まりを形成して潤滑性を高め、起動トルクを低減する技術が提案されている。
【０００３】
例えば、特許文献１には、油溜まりとなる線状の谷部が、ころの端面に研削加工により形成された円筒ころ軸受が開示されている。また、特許文献２には、転がり運動又は滑り運動の方向を横切る方向の多数の断続溝（油溜まり）が、内輪軌道面，外輪軌道面，ころの転動面，ころの端面，及びつば面に、研削加工により形成された円筒ころ軸受が開示されている。
【０００４】
さらに、特許文献３には、ころの周方向と直交する方向、すなわちころの半径方向に沿う加工目（油溜まり）が、ころの端面に研削加工により形成された円筒ころ軸受が開示されている。さらに、特許文献４には、油溜まりとなる線状の凹部が、円すいころの大端面に、研削加工により文目状に形成された円すいころ軸受が開示されている。さらに、特許文献５には、複数のドット状微小凹部（油溜まり）が、つば面にショットブラストにより形成された円すいころ軸受が開示されている。
【０００５】
さらに、特許文献６には、規則的に配列した微小ピット（油溜まり）が、内輪の軌道面、外輪の軌道面、ころの転動面、及びころの端面に、電解加工法により形成された円筒ころ軸受が開示されている。さらに、特許文献７には、油溜まりとなる凹部が、ころの端面に２段階のバレル処理により形成された円筒ころ軸受が開示されている。すなわち、１段階目のバレル処理により凹凸を形成した後に、２段階目の仕上げバレル処理により凸部を丸めて表面をプラトー化することにより、凹部を形成するというものである。
【先行技術文献】
【特許文献】
【０００６】
【特許文献１】特開平７−４２７４６号公報
【特許文献２】特開平７−５４８４９号公報
【特許文献３】特開平７−９１４５２号公報
【特許文献４】特開２００３−２６９４６８号公報
【特許文献５】特開平６−２４１２３５号公報
【特許文献６】特開平５−２４０２５４号公報
【特許文献７】特開平２−１６８０２１号公報
【発明の概要】
【発明が解決しようとする課題】
【０００７】
しかしながら、特許文献１に記載のものは、油溜まりの形状が線状であるため、油溜まりの延びる方向が滑り方向に沿う場合には、油溜まりの油保持能力が低くなり、油切れの原因となるおそれがあった。油溜まりの延びる方向が滑り方向と直交する場合は、油溜まりの油保持能力はあるものの、油溜まりが接触楕円から外れることにより、線状の油溜まりの両端の開口から油が流出する側方漏れが起こりやすくなるため、潤滑性が十分ではなかった。
【０００８】
また、特許文献２，３に記載のものは、油溜まりの油保持能力はあるものの、油溜まりの形状が線状であるため油の側方漏れが起こりやすいという問題があった。そして、ころの端面に放射状に研削を行う必要があるため、量産性が低いという問題があった。さらに、特許文献４に記載のものは、油溜まりの油保持能力があり、且つ、ころの端面の研削には問題がなく量産性は有るものの、油溜まりの形状が線状であるため油の側方漏れが起こりやすいという問題があった。
【０００９】
さらに、特許文献５に記載のものは、油漏れや量産性の問題はないものの、微小凹部を形成するショットブラストにより凸部も形成されるため、つば面と摺接するころの端面が該凸部により攻撃されて表面粗さが悪化するおそれがあるという問題があった。さらに、特許文献６に記載のものは、電解加工法で微小ピットを形成するためには、微小ピット一つ一つに電極を接続する必要があるので、高コストとなり量産性が低いという問題があった。
【００１０】
さらに、特許文献７に記載のものは、バレル処理は打痕が生じやすいため、処理できる部材の大きさに制限があるという問題と、バレル処理はショットブラストと比べると処理に時間を要し高コストであるという問題があった。
そこで、本発明は上記のような従来技術が有する問題点を解決し、ころの端面とつば面との間の潤滑性が優れていて起動トルクが低いことに加えて、量産性が高く安価であるころ軸受を提供することを課題とする。
【課題を解決するための手段】
【００１１】
前記課題を解決するため、本発明は次のような構成からなる。すなわち、本発明のころ軸受は、内輪と、外輪と、前記内輪及び前記外輪の間に転動自在に配された複数のころと、前記内輪及び前記外輪の少なくとも一方に形成されたつばと、を備えるころ軸受において、前記つばと摺接する前記ころの端面には、油溜まりとなる多数の凹部が形成されており、該凹部は、ショットブラストにより形成した凹凸のうち凸部を研磨により平滑にして凹部のみ残すことにより形成されたものであることを特徴とする。
【００１２】
本発明のころ軸受においては、前記ショットブラストに使用される投射材はセラミック製であり、目開き７５μｍの篩を通過する大きさの略球形であることが好ましい。
また、前記端面の表面粗さが、Ｒａ０．１５μｍ以上０．４μｍ以下、且つ、Ｒｓｋ−５μｍ以上−１μｍ以下であることが好ましい。
さらに、前記凹部の内面が略球面状で、前記凹部の直径が５μｍ以上５０μｍ以下、前記凹部の深さが０．５μｍ以上４μｍ以下であるとともに、前記端面全体のうち前記凹部の部分の面積の割合が１０％以上４０％以下であることが好ましい。
【００１３】
さらに、本発明のころ軸受は、円すいころ軸受であることことが好ましい。
【発明の効果】
【００１４】
本発明のころ軸受は、ころの端面とつば面との間の潤滑性が優れていて起動トルクが低いことに加えて、量産性が高く安価である。
【図面の簡単な説明】
【００１５】
【図１】本発明に係るころ軸受の一実施形態である円すいころ軸受の構造を示す部分縦断面図である。
【図２】処理前後の円すいころの大端面の粗さプロファイルである。
【図３】トルク試験に用いた試験機の構造を示す断面図である。
【図４】トルク試験の結果を示すグラフである。
【発明を実施するための形態】
【００１６】
本発明に係るころ軸受の実施の形態を、図面を参照しながら説明する。図１は、本発明に係るころ軸受の一実施形態である円すいころ軸受の構造を示す部分縦断面図である。
図１の円すいころ軸受は、内輪１と、外輪２と、内輪１及び外輪２の間に転動自在に配された複数の円すいころ３と、内輪１及び外輪２の間に複数の円すいころ３を保持する保持器４と、で構成されており、内輪１の外周面及び外輪２の内周面の間に形成された軸受内部空間には、図示しない潤滑剤（例えば潤滑油，グリース）が封入されている。なお、保持器４は備えていなくてもよい。
【００１７】
また、内輪１の外周面の軸方向両端部には、つば５，５が径方向外方に突出して設けられている。外輪２には、つばは設けられていない。ただし、図１の例とは逆に、外輪２の内周面の軸方向両端部につばを設け、内輪１にはつばを設けない構成としてもよいし、内輪１及び外輪２の両方につばを設ける構成としてもよい。
つば５，５の内側面５ａ，５ａ、すなわちつば面は、円すいころ３を案内し保持する面として機能しており、円すいころ３の端面と摺接する。円すいころ３の端面のうち大端面３ａには、油溜まりとして機能する多数の凹部（図示せず）が形成されている。
【００１８】
この凹部は、ショットブラストにより形成される。すなわち、大端面３ａに投射材を投射することにより、大端面３ａに凹凸を形成した後に、該凹凸のうち凸部を研磨により平滑にして凹部のみ残す。これにより、大端面３ａは、平坦な面に多数の凹部が方向性なく点在する状態となる。なお、この凹部は円すいころ３の小端面に形成してもよいし、両端面に形成してもよい。
【００１９】
このような点状の断続した油溜まりは、線状に連続する油溜まりと比べて油保持能力が高い。また、線状の油溜まりとは異なり方向性がないので、滑り方向に関係なく油の側方漏れが起こりにくい。よって、円すいころ３の端面とつば面５ａとの間の潤滑性が優れているため、円すいころ軸受の起動トルクが低い。
さらに、油溜まりをショットブラストにより形成するため、製造が容易である。よって、この円すいころ軸受は量産性が高く安価である。また、バレル処理とは異なり、処理できる部材の大きさに制限がほとんどない。
【００２０】
さらにまた、ショットブラストにより形成された凹凸のうち凸部を研磨により平滑にしてあるので、円すいころ３の大端面３ａと摺接するつば面５ａの表面粗さが悪化するおそれがない。なお、凸部を研磨により平滑にする方法は特に限定されるものではなく、例えば、砥石による研磨は低コストで量産性も高いが、ショットブラストにより行うこともできる。
【００２１】
ショットブラストに使用される投射材はセラミック製であることが好ましく、目開き７５μｍの篩を通過する大きさの略球形であることが好ましい。投射材が大きすぎると、大端面３ａの表面粗さが粗くなるため、つば面５ａとの摺動で両面に損傷が生じるおそれがある。なお、投射材の材質は、セラミックスと同等以上の硬さであれば高速度鋼でも差し支えない。
【００２２】
また、凹部が形成された大端面３ａの表面粗さは、Ｒａ０．１５μｍ以上０．４μｍ以下、且つ、Ｒｓｋ−５μｍ以上−１μｍ以下であることが好ましい。大端面３ａの表面粗さが大きすぎると、つば面５ａとの摺動によって両面に損傷が生じるおそれがある。一方、大端面３ａの表面粗さが小さすぎると、油溜まりの油保持能力が不十分となるおそれがある。
【００２３】
さらに、大端面３ａに形成された凹部の内面は略球面状であることが好ましく、その凹部の直径は５μｍ以上５０μｍ以下、深さは０．５μｍ以上４μｍ以下であることが好ましい。さらに、大端面３ａの面積に対する凹部の部分の面積の割合は、１０％以上４０％以下であることが好ましい。
凹部の直径や深さが大きすぎると、大端面３ａの表面粗さが粗くなるため、つば面５ａとの摺動で両面に損傷が生じるおそれがある。一方、凹部の直径や深さが小さすぎると、油溜まりの油保持能力が不十分となるおそれがある。また、前記面積の割合が大きすぎると、大端面３ａの表面粗さが粗くなるため、つば面５ａとの摺動で両面に損傷が生じるおそれがある。一方、前記面積の割合が小さすぎると、油溜まりの油保持能力が不十分となるおそれがある。
【００２４】
なお、本実施形態は本発明の一例を示したものであって、本発明は本実施形態に限定されるものではない。例えば、本実施形態においてはころ軸受の例として円すいころ軸受をあげて説明したが、本発明は、他の種類の様々なころ軸受に対して適用することができる。例えば、円筒ころ軸受，針状ころ軸受，自動調心ころ軸受等である。ただし、本発明は、円すいころ軸受及び円筒ころ軸受に対してより好適であり、その中でも円すいころ軸受に対して特に好適である。
【実施例】
【００２５】
以下に、実施例を示して、本発明をさらに具体的に説明する。
円すいころの大端面に上記と同様の油溜まりを形成した円すいころ軸受（呼び番号：ＨＲ３０３０９Ｃ）を用意して、その回転トルクの評価を行った。この円すいころ軸受の内輪，外輪，及び円すいころはいずれも肌焼き軸受用鋼で構成され、その表面には超仕上げが施されており、表面硬さはいずれもＨＲＣ５９〜６３である。
【００２６】
円すいころの大端面への油溜まりの形成は、２段階のショットブラストにより行った。すなわち、１段階目のショットブラストにより大端面に凹凸を形成した後に、２段階目のショットブラストにより該凹凸のうち凸部を研磨し平滑にして凹部のみ残すというものである。
【００２７】
まず、１段階目のショットブラストについて説明する。投射材としては、目開き７５μｍの篩を通過した粒径約４５μｍの略球形のガラスビーズを用いた。また、処理装置としては、エアー式ブラスト加工装置を用いた。投射材を噴射するノズルの内径は５ｍｍで、ノズルの先端と円すいころの大端面との間隔は１５０ｍｍとした。投射材の噴射圧力は、０．４ＭＰａ以上０．８ＭＰａ以下とした。ただし、０．４ＭＰａ以上０．６ＭＰａ以下がより好ましい。このような条件で、１個の円すいころにつき３秒間ショットブラストを行って、大端面に凹凸を形成した。
【００２８】
次に、２段階目のショットブラストについて説明する。投射材としては、内部や表面に砥粒が分散された弾性体を用いた。砥粒は、アルミナ，ダイヤモンド，又は炭化ケイ素製であり、目開き１０μｍ（より好ましくは５μｍ）の篩を通過したものである。弾性体は、ゴム又は熱可塑性エラストマー製であり、その粒径は０．０２ｍｍ以上３ｍｍ以下である。なお、粒径は０．１ｍｍ以上１ｍｍ以下がより好ましい。投射材における砥粒の割合は、１０質量％以上９０質量％以下（より好ましくは６０質量％以上８０質量％以下）である。
【００２９】
また、処理装置としては、エアー式ブラスト加工装置を用いた。ただし、インペラー方式等の機械エネルギーを利用した方式のブラスト加工装置を用いることもできる。投射材を噴射するノズルの内径は５ｍｍで、ノズルの先端と円すいころの大端面との間隔は１５０ｍｍとした。投射材の噴射圧力は、０．１ＭＰａ以上１．５ＭＰａ以下とした。ただし、０．２ＭＰａ以上０．６ＭＰａ以下がより好ましい。また、投射角度は、５°以上９０°以下とした。ただし２０°以上４５°以下がより好ましい。このような条件で、１個の円すいころにつき６秒間ショットブラストを行って、１段階目のショットブラストにより大端面に形成された凹凸のうち凸部を研磨し平滑にして凹部のみ残した。
【００３０】
このような２段階のショットブラストを施す前後の大端面について、表面粗さの測定を行った。その結果、処理前はＲａ０．０４μｍ、Ｒｓｋ−０．５μｍ〜＋０．５μｍであったのに対して、処理後は、ショットブラストの条件によって異なるが、Ｒａ０．１５μｍ〜０．４０μｍ、Ｒｓｋ−５．０μｍ〜−１．０μｍであった。処理前の大端面の粗さプロファイルを図２の（ａ）に示し、処理後の大端面の粗さプロファイルの一例を図２の（ｂ）に示す。
【００３１】
また、処理後の大端面を金属顕微鏡で観察したところ、凹部の内面形状は略球面状であった。また、ショットブラストの条件によって異なるが、凹部の直径は５μｍ以上５０μｍ以下で、凹部の深さは０．５μｍ以上４．０μｍ以下であった。さらに、大端面全体のうち凹部の部分の面積の割合を測定したところ、ショットブラストの条件によって異なるが、１０％以上４０％以下であった。
【００３２】
前記面積の割合の測定方法は、以下の通りである。すなわち、金属顕微鏡で５００倍に拡大して観察した画像に対して、画像２値化処理を行って、凹部の部分と平坦な面の部分とに２値化し、その２値化した画像から前記面積の割合を算出した。
次に、円すいころ軸受を種々の回転速度で回転させて、その際のトルクを測定した。まず、このトルク試験に用いた試験機の構造を、図３を参照しながら説明する。
【００３３】
試験機２０は、縦型内輪回転式の試験機である。試験機２０では、支持軸受２３に回転自在に支持された主軸２４の端部２４ａは、試験軸受としての円すいころ軸受２６の内輪２６ａに内嵌されている。内輪２６ａの外周面にはつば２６ｄが形成されており、円すいころ２６ｂに対して滑り接触を行う。内輪２６ａ及び円すいころ２６ｂと共に円すいころ軸受２６を構成する外輪２６ｃは、本体部２８に内嵌されている。本体部２８の軸方向上端面には静圧軸受３１が設けられており、その上面にはアキシアル荷重が付与される。
【００３４】
また、本体部２８の側面には棒材３４を介してロードセル３３が接続されており、本体部２８に掛かる動摩擦トルクがロードセル３３により検出される。さらに、本体部２８には、円すいころ軸受２６の転がり接触面及び滑り接触面に外部から潤滑油を供給するための通路３６が形成されている。また、転がり接触面及び滑り接触面の温度を検出する熱電対３８が、本体部２８の側面から取り出されている。
【００３５】
上記構成を有する試験機２０では、アキシャル荷重，ラジアル荷重，回転速度，潤滑油量を任意に変えて試験することができ、回転中の動摩擦トルク及び前記接触面の温度上昇を同時に測定することができる。
このような試験機２０に、前述のような２段階のショットブラストを大端面に施した円すいころを備える円すいころ軸受を試験軸受として装着し、トルク試験を行った。そして、ショットブラストを施していない円すいころを備える通常の円すいころ軸受の場合と比較した。
【００３６】
試験軸受の呼び番号：ＨＲ３０３０９Ｃ
荷重              ：３．９ｋＮ
回転速度          ：０〜５０００ｒｐｍ
潤滑油            ：ＩＳＯ粘度グレードがＩＳＯ  ＶＧ３２である鉱油
潤滑油量          ：５００ｍｌ／ｍｉｎ
潤滑油温度        ：５０±５℃
【００３７】
なお、トルクの測定を行う前に、５０００ｒｐｍで１時間以上回転させる慣らし運転を行い、十分にトルクが安定したことを確認した。また、軸受の個体差の影響を排除するため、以下のような手順でトルク試験を行った。すなわち、前記通常の円すいころ軸受に対して慣らし運転を行い、トルク試験（ショットブラスト処理前の軸受のトルク試験）を行った。その後、内輪のつばのうち、円すいころの小端面に摺接するつばを切除して円すいころを取り出した。そして、前述のような２段階のショットブラストを大端面に施した後、先ほどの軸受に再度組み込んで再び慣らし運転を行い、トルク試験（ショットブラスト処理後の軸受のトルク試験）を行った。
【００３８】
結果を図４のグラフに示す。このグラフから、ショットブラスト処理後の軸受は、処理前の軸受に比べて、低速回転域（０〜１０００ｒｐｍ）のトルクが１０〜６０％低減していることが分かる。
【符号の説明】
【００３９】
１        内輪
２        外輪
３        円すいころ
３ａ      大端面
５        つば
５ａ      つば面
【図１】
2010169182.tif 000003
【図２】
2010169182.tif 000004
【図３】
2010169182.tif 000005
【図４】
2010169182.tif 000006